(57)【要約】ワイヤレス装置は、ユーザ・インタフェース（２０８）と、ユーザ・インタフェースに接続されるトランスポート層の処理モジュール（２０６）と、トランスポート層の処理モジュールに接続されるセルラー受信機（２０４）と、を具え、ラジオ・チャンネル・ガイドを含むセルラー信号を受信する。ワイヤレス装置は更に、インタフェースに接続されて無線信号を受信するための無線信号チューナ（２１４）と、ラジオ・チャンネル・ガイドからのユーザの選択に従ってラジオ受信機を無線信号のチャンネルに同調させるためのアプリケーション層（２０８）と、を具える。
2006514468.tif 000002
【特許請求の範囲】
【請求項１】
トランスポート層の処理モジュールに接続され、チャンネル・ガイドを含む第１の信号を受信する第１の受信機（２０４）と、
インタフェースに接続され、複数のチャンネルを含む第２の信号を受信する第２の受信機（２１４）と、
チャンネル・ガイドからのユーザの選択に従って第２の受信機を第２の信号のチャンネルに同調させるアプリケーション層（２０８）と、から成るワイヤレス装置において、前記チャンネル・ガイドは前記第２の信号の少なくとも１つのチャンネルについて記述する、前記ワイヤレス装置。
【請求項２】
ユーザの選択に従って前記第２の受信機のチャンネルのコンテンツを記憶するために第２の受信機に結合されるメモリを更に具える、請求項１に記載のワイヤレス装置。
【請求項３】
チャンネル・ガイドを記憶するためにアプリケーション層に結合されるメモリを更に具える、請求項１に記載のワイヤレス装置。
【請求項４】
ユーザ・インタフェース（２０８）と、
ユーザ・インタフェースに接続されるトランスポート層の処理モジュール（２０６）と、
トランスポート層の処理モジュールに接続されて、ラジオ・チャンネル・ガイドを含むセルラー信号を受信するセルラー受信機（２０４）と、
前記ユーザ・インタフェースに接続されて、無線信号を受信するための無線信号チューナ（２１４）と、
前記ラジオ・チャンネル・ガイドからのユーザの選択に従って無線信号のチャンネルに前記ラジオ受信機を同調させるためのアプリケーション層（２０８）と、から成る、ワイヤレス装置。
【請求項５】
無線信号チューナがメモリに接続され、該メモリが無線信号を記憶する、請求項４に記載の装置。
【請求項６】
ユーザ・インタフェースが液晶ディスプレイである、請求項４に記載の装置。
【請求項７】
ユーザ・インタフェースがアプリケーション層を制御する、請求項４に記載の装置。
【請求項８】
アプリケーションが、少なくとも１つのユーザの選択に従ってラジオ・チャンネル・ガイドをフォーマット化する、請求項４に記載の装置。
【請求項９】
ラジオ・チャンネル・ガイドが、ハイパーテキストマークアップ言語（ＨＴＭＬ）文書である、請求項４に記載の装置。
【請求項１０】
セルラー受信機がサーバ・ノードと通信し、サーバ・ノードがチャンネル・ガイドのリクエストを提供する、請求項４に記載の装置。
【請求項１１】
サーバ・ノードが、ユーザに請求される料金でリクエストをサービスする、請求項１０に記載の装置。
【請求項１２】
セルラー・ベースのサーバからラジオ・チャンネル・ガイドをリクエストするステップと、
装置の仕様書に従ってラジオ・チャンネル・ガイドをフォーマット化するステップと、
ラジオ・チャンネル・ガイドをユーザに紹介するステップと、
ラジオ・チャンネル・ガイドから選択されたチャンネルに従ってラジオ・チャンネルに自動的に同調するステップと、から成る、
ワイヤレス装置を希望のラジオ・チャンネルに同調させるための方法。
【請求項１３】
少なくとも１つのユーザの選択に従ってラジオ・チャンネル・ガイドをフォーマット化するステップを更に含む、請求項１２に記載の方法。
【請求項１４】
ラジオ・チャンネル・ガイドをフォーマット化するステップが、ユーザの選択したジャンルに従ってチャンネルを紹介するステップを含む、請求項１３記載の方法。
【請求項１５】
ラジオ・チャンネル・ガイドをリクエストするとただちに、そのワイヤレス装置を認証するステップと、
リクエストを提供することに対しユーザに料金を請求するステップと、を更に含む、請求項１２に記載の方法。
【請求項１６】
ラジオ・チャンネル・ガイドを更新するステップを更に含む、請求項１２記載の方法。
【請求項１７】
位置または時刻の変更を決定するとただちに、ラジオ・チャンネル・ガイドが更新される、請求項１６に記載の方法。
【発明の詳細な説明】
【技術分野】
【０００１】
本発明は、ワイヤレス（無線）サービスに関し、特に、セルラー（ｃｅｌｌｕｌａｒ）装置により、放送内容（コンテンツ）にアクセスすることに関する。
【背景技術】
【０００２】
ワイヤレス（無線）ネットワークにより、コンテンツを配信するための重要な要素は、帯域幅のコスト（経費）である。データ・ネットワークがますます拡大しつつあり、それに伴い、例えば、ワイヤレス・ローカル・エリア・ネットワーク（ＬＡＮ）、セルラー（移動式）或いは固定式のワイヤレス・ネットワークなどの、幾つかのネットワークを通じてインターネットへのアクセスが可能となっている。しかしながら、ワイヤレス・ネットワークにおいては、帯域幅に要するコストが、他のコンテンツ配信手段と比較すると、相対的に高い。
【０００３】
従って、代替のワイヤレス・データ・ネットワークからローカル放送システムのコンテンツに同調するシステムと方法が必要である。
【発明の開示】
【０００４】
（発明の概要）
ワイヤレス装置は、ユーザ・インタフェースと、ユーザ・インタフェースに接続されるトランスポート層の処理モジュールと、トランスポート層の処理モジュールに接続され、ラジオ（無線放送）チャンネル・ガイドを含むワイヤレス信号を受信するセルラー受信機と、から成る。ワイヤレス装置は更に、インタフェースに接続されて、無線信号を受信するための無線信号チューナと、ラジオ・チャンネルからのユーザの選択に従ってラジオ受信機を無線信号のチャンネルに同調させるためのアプリケーションと、から成る。
【０００５】
本発明の好ましい実施例は、添付されている図面に関して以下に詳細に説明される。
【発明を実施するための最良の形態】
【０００６】
本発明の好ましい実施例により、装置は複数の異なる信号（例えば、双方向ワイヤレス信号および放送無線信号）を受信することができる。この装置は、チャンネル・ガイドからの選択に従って、或る特定のラジオ放送に自動的に同調することができる。ワイヤレス・チャンネルを介してチャンネル・ガイドが提供され、コンテンツをナビゲートするための改良された方法をユーザに提供する。
【０００７】
本発明は、種々の形態のハードウェア、ソフトウェア、特定目的のプロセッサ、またはそれらを組み合せて実現されることを理解すべきである。１つの実施例で、本発明は、プログラム記憶装置上で具体化されるアプリケーション・プログラムとしてのソフトウェアで実現される。アプリケーション・プログラムは、適当なアーキテクチャから成るマシンにアップロードされマシンによって実行される。マシンは、１つまたは複数の中央処理装置（ＣＰＵ）、ランダム・アクセス・メモリ（ＲＡＭ）、入力／出力（Ｉ／Ｏ）インタフェースのような、ハードウェアを具えるコンピュータ・プラットフォーム上で実現されることが好ましい。コンピュータ・プラットフォームには、オペレーティング・システムとマイクロインストラクション・コードも含まれる。本明細書中で述べる種々のプロセスおよび機能は、マイクロインストラクション・コードの一部であり、またはアプリケーション・プログラムの一部（またはその組合せ）であり、これは、オペレーティング・システムによって実行される。また、追加的データ記憶装置および印刷装置（プリンタ）のような他の種々の周辺装置もコンピュータ・プラットフォームに接続される。
【０００８】
添付の図面に示すシステムの構成要素および方法のステップは、ソフトウェアで実現されるので、システムの構成要素（またはプロセスのステップ）間の実際の接続は、本発明がプログラムされる態様に依って異なることを理解すべきである。本明細書中で提供する本発明の教示を与えられると、当技術分野において通常の技術を有する者は本発明のこれらのおよび同様の実現または構成を考えることができるであろう。
【０００９】
現存するＡＭおよびＦＭラジオ局は種々のコンテンツを放送している。これらの局用の受信機は安価に容易に提供できる。本発明の実施例により、セルラー・チャンネルを介してデータ・サーバより提供されるチャンネル・ガイドを使用して、装置を、アナログＡＭ／ＦＭラジオ局に自動的に同調させることができる。例えば、チャンネル・ガイドを装置にダウンロードし、メモリ内に貯えることができる。チャンネル・ガイドは現在のラジオ放送について記述できる。この記述には局の同調周波数および局のジャンル（ｇｅｎｒｅ：種別）が含まれる。    
【００１０】
この装置は利用できるコンテンツに関するインテリジェンスを実質的に有しない。ガイド情報の構成と選択は双方向システムのサーバ側で行われる。ワイヤレス・データ・チャンネルはクライアント装置とサーバ間でコマンド応答機構を具える制御ネットワークとして働く。クライアント装置はその位置を、例えば、地理に基づいて、ＧＰＳ（Ｇｌｏｂａｌ  Ｐｏｓｉｔｉｏｎｉｎｇ  Ｓｙｓｔｅｍ：全地球位置把握システム）、またはセルラー・インフラストラクチャ内で利用できるレンジング（ｒａｎｇｉｎｇ）機構を使用して、表示できる。サーバは、放送チャンネルでクライアント装置がローカルに利用できるコンテンツの適正なガイド選択を整える。ガイドの外観と感触はクライアント装置の表示機能に合わせて形成される。ユーザは利用できるガイドをナビゲートし、特定の選択をすることができる。このような選択が行われると、サーバは該当する同調情報を送信できる。この情報を受信すると、クライアント装置はその放送受信機を特定のチャンネルに同調させる。
【００１１】
装置の性能に応じてチャンネル・ガイドをフォーマット化することができる。例えば、ユーザ・インタフェース用に液晶ディスプレイを具える装置の場合、チャンネル・ガイドはカラーまたは白黒でフォーマット化され、サイズを装置の画面に合わせることができる。ユーザはガイドをフォーマット化する：例えば、カントリーミュージックの局を目立つように掲載する、または特定のシンジケーテッド・ショー（ｓｙｎｄｉｃａｔｅｄ  ｓｈｏｗ）を目立つ色で掲載する、ための選択を行うことができる。
【００１２】
チャンネル・ガイドは、或るレート（例えば、１日に一回または１５分ごとに）で更新することができる。チャンネル・ガイドは、１つのソースから提供することができ、或いは各ローカル局からのデータを編集して作られる。更新レートは、例えば、装置の動きに基づく、素早く移動している装置（例えば、車内の装置）では、静止している装置よりも頻繁に更新される。この装置は、現在位置を決定するため、例えば、ＧＰＳシステムを具えることができる。番組ガイドは、コンテンツ（例えば、新しい歌または視聴者のリクエスト）の変更で更新することができる。或る局で現在放送中の番組のレベルにおいて、番組ガイドが粗雑であり、もっときめの細いプログラミング（番組製作）がリクエストされると、各局について、リアルタイムでの更新をウェブサイトで実行することができる。
【００１３】
本発明の別の実施例で、時刻のようなプログラムされた基準に基づいて、アナログＡＭ／ＦＭチャンネルに装置を自動的に同調させることができる。この装置は、コンテンツを受信し、あとで再生するためにメモリ内に貯えることができ、メモリ内に貯えられたコンテンツは圧縮することができる。ユーザは、特定の歌または番組をリクエストし、その歌が放送されると自動的に記録（録音）するようワイヤレス装置をセットすることができる。従って、この装置はオン・デマンド機能でバーチャル・オーディオを供給することができる。双方向機構を使用するデータ・ネットワーク上で装置が双方向的に選択することのできるユニークな識別子によって、異なるジャンルの音楽を分類することができる。或るジャンルの番組または或る特定の番組が選択されると、サーバはそれに該当する放送チャンネル同調情報を送信する。
【００１４】
図１に示すサービスにおいて、インターネットに同調するラジオ・サービスに加入しているコンテンツ・プロバイダは、データ・サーバ１０２を更新する。装置の登録されたユーザに、年一回または更新ごとに、加入料が請求される。ラジオ局１０６のようなコンテンツ・プロバイダのコンテンツが、データ・サーバ１０２でホストされるチャンネル・ガイドで特集されると、そのプロバイダは加入料を請求される。インテリジェント・ターミナル１０４のような、ユーザの装置はセルラー基地局１０８を介してデータ・サーバ１０２に接続される。付加的受信機は、ユーザの選択した番組を送信するＡＭ／ＦＭ放送局１０６に同調するためのものである。
【００１５】
インテリジェント・ターミナル１０４にはワイヤレス・トランシーバ２０２が含まれ、ワイヤレス・トランシーバ２０２はセルラー受信機２０４とトランスポート層の処理モジュール２０６とから成る。トランスポート層モジュール２０６は、ネットワーク（例えば、ワイヤレス・ネットワーク）へのアクセス、および装置とデータ・サーバ１０２間のメッセージの転送を受け持つ。ダウンロードされたチャンネル・ガイドを貯えるために、メモリ２１０が具えられる。メモリ２１０はワイヤレス・トランシーバまたはアプリケーション層２０８に結合される。ワイヤレス・トランシーバはアプリケーション層２０８に接続される。アプリケーション層２０８にはユーザ・インタフェースが含まれる。アプリケーション層２０８は、拡張された機能をユーザ装置に与える種々のアプリケーションをサポートすることができる。ユーザは所定の時刻に番組に同調し、その番組をあとで再生するために記録できる。ユーザ・インタフェースは、オプションのメニューを表示するため、例えば、液晶ディスプレイを具えられる。インテリジェント・ターミナル１０４は更に、放送ラジオ・トランシーバ２１２を具えられる。放送ラジオ・トランシーバ２１２はＡＭ／ＦＭチューナ２１４を具える。ターミナル１０４はフラッシュ・メモリ、ＲＡＭ、ＲＯＭのようなメモリ２１６も具える。ＣＰＵ２１８は、インストラクション（命令）を実行するため、メモリ２１０と２１６、アプリケーション層２０８、およびトランシーバ２０２と２１２に結合される。
【００１６】
本発明の実施例により、都市名、郵便番号または他の識別情報から成るサービスをデータ・サーバ１０２にリクエストすることができる。データ・サーバ１０２は、ラジオ局のリスト、利用できる音楽のジャンル、各ラジオ局の同調周波数などを含む情報と共にガイドを戻す（返送する）ことができる。ユーザは局を選択することができ、受信装置はリクエストされた局に放送受信機を自動的に同調させる。
【００１７】
図３に関し、サービスは、データ・サーバ局からの特定の番組に対する装置のリクエストをサポートすることができる。データ・チャンネル受信機を介してデータ・サーバにリクエストが行われる（３０２）。このリクエストで、例えば、地理的区域に従って、チャンネル・ガイドを指定できる。番組に関するリクエストに時刻を含めることができ、或いは番組の時刻をリクエストで指定できる。チャンネル・ガイドを受信するとガイドはメモリに貯えられる。ガイドはフォーマット化される（３０４）。次にユーザはチャンネル・ガイドをナビゲートし、番組を選択する（３０６）。装置は選択された番組に自動的に同調できる（３０８）。装置は番組を記録するかどうかユーザにたずねることができる（３１０）。ユーザがプレイバックを選択すると、その番組はラジオ受信機で受信されて提供される。装置はその番組をあとでプレイバック（３１６）するために自動的に記録する３１４ことができる。或いは、ユーザにたずねることなく、装置はその番組をプレイすることができる。
【００１８】
本発明の実施例をセルラー・サービスおよびラジオ局を一例として紹介したが、本発明はこのような実施例に限定されない。例えば、Ｂｌｕｅｔｏｏｔｈでイネーブルされるローカル・エリア・ネットワーク、或いはワイヤレスのインターネット接続により、チャンネル・ガイドを提供することができる。このガイドは、例えば、ラジオまたはテレビジョンのコンテンツに自動的にアクセスするために使用できる。
【００１９】
セルラー装置を介してアナログ・コンテンツを受信するシステムの実施例について説明したが、上述した教示に鑑みて、修正および変更が当業者によってなされ得る。従って、本発明の精神とクレームで規定される範囲内にある変更を本発明の実施例になすことが可能である。特許法で要求される詳しさと綿密さで本発明は説明され、特許状で保護されることを望まれる請求事項はクレームに記載されている。
【図面の簡単な説明】
【００２０】
【図１】本発明の実施例によるネットワークを図解する。
【図２】本発明の実施例によるチューナのブロック図である。
【図３】本発明の実施例による方法のフローチャートである。
【図１】
2006514468.tif 000003
【図２】
2006514468.tif 000004
【図３】
2006514468.tif 000005
【国際調査報告】
2006514468.tif 000006